(57)【要約】【課題】  締め付けネジを受け入れる保持部と、パネルに支持される座板部と、保持部と座板部を連結する二つの翼部とからなる、パネルの孔に挿入して取り付けるクランプ部材であって、パネルへの固定の容易なものを提供する。【解決手段】  保持部にネジを受け入れるナットを形成し、座板部がパネルの一方の側に当接し、座板部に当接する翼部のアームがパネルの反対側に当接するとき、相互に係合するラッチ部を保持部と座板部に設ける。【選択図】        図１
2005114036.tif 000002
【特許請求の範囲】
【請求項１】
保持部（１）と、パネル（２１）に支持される座板部（２）と、２つの翼部（３、４）とを有し、前記翼部（３、４）は、それぞれＶ字形のアーム（５、６；７、８）を有し、頂上ではフィルムヒンジ（９、１０）を介して連結し、前記アームを展開すると、前記フィルムヒンジ（９、１０）は前記保持部（１）の孔（２７）へ挿入を許容し、前記アームを折り畳むと、前記フィルムヒンジ（９、１０）は座板部の反対側のパネル（２１）の後方に位置し、いずれの場合も、曲げ領域（２２、２３、２４、２５）を介して、各翼部（３、４）の一方のアームは前記保持部と、他方のアームは前記座板部とそれぞおれ連結してなる、前記パネルの孔（２７）に挿入可能なクランプ部材において、
前記保持部（１）は、ネジ（２８）を受け入れるナットを形成し、前記保持部（１）と前記座板部（２）は相互に係合するラッチ部（１３、１４、１５、１６）を備え、前記座板部（２）が前記パネル（２１）の一方の側に当接し、さらに、前記座板部に当接する前記翼部（３、４）の前記アーム（５、６、７、８）が前記パネル（２１）の反対側に当接するとき、前記ラッチ部（１３、１４、１５、１６）は係合状態となることを特徴とするパネルの孔に挿入可能なクランプ部材。
【請求項２】
保持部（１）はラッチ突起（１３、１４）を備え、前記ラッチ突起（１３、１４）は垂下部（１１、１２）に設けるラッチ孔（１５、１６）に入り、前記垂下部（１１、１２）は前記座板部（２）から突出して前記保持部（１）の側面を覆うことを特徴とする請求項１に記載のクランプ部材。
【請求項３】
保持部（１）は側面にラッチ孔（１５、１６）を備え、ラッチ突起（１３、１４）は前記ラッチ孔（１５、１６）に入り、前記ラッチ突起（１３、１４）は前記座板部（２）から突出する垂下部（１１、１２）から延長することを特徴とする請求項１に記載のクランプ部材。
【請求項４】
保持部（１）はネジ（２８）を受け入れるネジ孔（２６）を備え、座板部（２）はラッチ突起（１３、１４）を備え、前記座板部（２）は前記ネジの通る貫通孔（１９）を備えることを特徴とする請求項１ないし３のいずれか１つに記載のクランプ部材。
【請求項５】
保持部（１）は座板部（２）を向く側にストッパ（２０）を有し、前記ストッパは前記座板部の貫通孔（１９）に入り、ラッチ係合時には、締め付けられる組立部材（２９）に当接し、それにより、ネジ（２８）が締め付けられるとき、前記保持部と前記座板部の接近を制限することを特徴とする請求項４に記載のクランプ部材。
【請求項６】
保持部（１）の座板部（２）を向く面はストッパ（２０）を形成することを特徴とする請求項５に記載のクランプ部材。
【請求項７】
フィルムヒンジ（９、１０）は曲げ領域（２２、２３、２４、２５）を形成し、前記曲げ領域は厚さが漸増する遷移域（３２、３３）を介してアーム（５、６、７、８）と連結することを特徴とする請求項１ないし６のいずれか１つに記載のクランプ部材。
【請求項８】
フィルムヒンジ（９、１０）の遷移域（３２、３３）は異なる長さであることを特徴とする請求項７に記載のクランプ部材。
【請求項９】
アーム（５、６、７、８）を連結する曲げ領域（３０、３１）の厚さは座板部（２）又は保持部（１）に向けて漸減することを特徴とする請求項１ないし８のいずれか１つに記載のクランプ部材。
【請求項１０】
各翼部（３、４）のアーム（５、６、７、８）は相互に向き合う側にロック係合する突起（３４、３５）を備え、挿入位置において、前記係合突起は前記アームのフィルムヒンジ（９、１０）側への相対的運動を規制することを特徴とする請求項１ないし９のいずれか１つに記載のクランプ部材。
【請求項１１】
翼部（３、４）の保持部（１）側のアーム（６、８）は反対側のアーム（５、７）よりも長いことを特徴とする請求項１ないし１０のいずれか１つに記載のクランプ部材。
【請求項１２】
翼部（３、４）の保持部（１）側のアーム（６、８）と前記保持部は反対側のアーム（５、７）よりも高耐熱性の材料から製造されることを特徴とする請求項１ないし１１のいずれか１つに記載のクランプ部材。
【発明の詳細な説明】
【技術分野】
【０００１】
本発明は、パネルの孔に挿入可能なクランプ部材に関するものであり、そのクランプ部材は保持部とパネルに着座する座板部と２つの翼部とを備え、その翼部はそれぞれがＶ字形を形成する二つのアームを有し、その二つのアームは頂上でフィルムヒンジを介して連結し、アームを展開すると、フィルムヒンジは保持部のパネル孔への挿入を許容し、アームを折り畳むと、フィルムヒンジは座板部の反対側のパネルの後方に位置する。いずれの場合も、曲げ領域を介して、各翼部の一方のアームは保持部と、他方のアームは座板部とそれぞれ連結する。
【背景技術】
【０００２】
このようなクランプ部材は、ＥＰ１０８１３９５Ａ１公報に記載されている。そのクランプ部材は、自動車車体の内装フック取付用であり、車体部分の孔に挿入してラッチ係合させることができる。このため、クランプ部材は、保持部を孔内に挿入して座板部を押し付ける。保持部片側の二つの翼部が保持部からフィルムヒンジを介して隔たり車体部分の後方に位置する。その結果、翼部は、クランプ部材が後戻りして車体から離れることを阻止する。このように、クランプ部材は、先ず、外方に伸びる翼部により、次に、クランプ部材と一体連結するラッチフックにより、車体に対して拘束されるから、フックアタッチメントは、クランプ部材を車体に強固に固定する。
【特許文献１】ＥＰ１０８１３９５Ａ１公報
【発明の開示】
【発明が解決しようとする課題】
【０００３】
本発明の課題は、クランプ部材のパネルへの取付を容易にすることである。
【課題を解決するための手段】
【０００４】
本発明は前記課題を達成するため、締め付けネジを受け入れる保持部と、パネルに支持される座板部と、保持部と座板部に設けられて相互に係合するラッチ部とからなる、パネルに取り付けるクランプ部材において、座板部がパネルの一方の側に当接し、座板部に当接する翼部のアームがパネルの他方の側に当接するとき、ラッチ部を相互に係合させる。
【発明の効果】
【０００５】
二つの翼部を介して連結する保持部と座板部に集中するラッチ部は、他の組立部材を使用せずに、クランプ部材をパネルの孔に挿入して固定することが可能であるから、クランプ部材のパネルへの取付は至極簡単である。即ち、始めに、クランプ部材が座板部でパネルに支持されるまでクランプ部材の保持部を挿入し、ついで、翼部を畳まずに、保持部を引き戻して保持部と座板部のラッチ部同士を係合させる。
【０００６】
ラッチ部が係合しても翼部が畳まれていないため、座板部はパネルの一方の側（表面）を押圧し、翼部はパネルの他方の側（裏面）を押圧する。その結果、クランプ部材は、パネルに拘束されているが、座板部と翼部のパネルに対する圧力が限定されるため、孔の寸法の範囲でクランプ部材はパネルに対して移動可能である。これは、温度変動などによる公差を補償する。連結される別の組立部材の位置により、クランプ部材はパネルに対して整列させることができる。クランプ部材を別の組立部材と共に使用する詳細については後記する。
【発明を実施するための最良の形態】
【０００７】
保持部と座板部のラッチ部は、相互に係合するラッチ突起とラッチ孔とすることが有利である。このために、座板部に垂下部を形成し、そこにラッチ突起又はラッチ孔を設けることが好ましい。
【０００８】
クランプ部材は、プラスチックナットとすることが有利である。保持部にはネジ受入れ孔を設け、座板部にはネジ貫通孔を設ける。パネルに取り付けるクランプ部材は、クランプ部材をプラスチックナットとして使用することにより、別の組立部材のねじ止めに使用することができる。
【０００９】
開口を備える保持部の座板部側にストップを設けてネジ締め付けに一定の限度を設けることが有利である。ストップは座板部の切り欠きの中に入り、そこで、ラッチ状態のとき、ストップは、ねじ止めされる組立部材に接触し、それ故に、ネジが締め付けられるときに、保持部と座板部が合体することを規制する。保持部の座板側の面をストップとすることが有利である。
【００１０】
アームの運動中にフィルムヒンジに生じる応力を制限するため、フィルムヒンジには曲げ領域を形成することが有利である。その曲げ領域は厚さが漸増する遷移領域を介してアームに連結する。これは、曲げ領域と遷移領域にすべての応力が平等に分配されると共に負担されることを保証する。保持部が座板部の方に押されるとき、フィルムヒンジの二つの遷移領域の長さが異なると、フィルムヒンジの二つのアームは必ず外側に弾み、押されても、完全に展開して平坦になることはない。
【００１１】
アームの座板部又は保持部と連結する曲げ領域の厚さは、座板部側又は保持部側に
漸減することが有利である。これにより、曲げ応力はアームの端部に発生するから、翼部の展開から折り畳みの運動又はその逆の運動を所望の様式にすることが可能となる。
【００１２】
各翼部のアームは、相互に対接する側にロック係合する突起を備えることが有利である。挿入時、係合突起はアームが相互にフィルムヒンジ側に動くことを制止する。これにより、翼部が折り畳まれたとき、アームの相互運動を規制して過度の引張力又は圧縮力が二つのアームを連結するフィルムヒンジに作用することを防止する。
【００１３】
保持部側の翼部のアームは他の側のアームよりも長くすることが有利である。これは、折り畳まれた翼部の座板部及び保持部からの引き抜きに対する抵抗力を増大させる。
【００１４】
プラスチック製クランプ部材が高熱に曝されても緩まないようにするためには、保持部側の翼部のアームと保持部を他のアームの材料よりも高耐熱性の材料から製造することが有利である。
【実施例】
【００１５】
本発明を図面に示す実施例に基づいて説明する。
図１は、クランプ部材の斜視図、
図２は、クランプ部材の側面図、
図３は、図２のＩＩＩ−ＩＩＩ線矢視図、
図４は、パネルの孔に挿入中のクランプ部材を示す図、
図５は、パネル挿入後のクランプ部材を示す図、
図６は、クランプ部材の保持部と座板部のラッチ部同士の係合を示す図、
図７は、別の実施例の翼部を示す図、
図８は、アームをロックする突起を備えた翼部のアームを示す図。
【００１６】
図１は、クランプ部材の斜視図であり、そのクランプ部材は、保持部１と、座板部２と、二つの翼部３、４とからなり、翼部３は二つのアーム５、６を、翼部４は二つのアーム７、８をそれぞれ含む。アーム５、７は座板部２の図１には見えない下側（図２参照）において座板部に連結され、アーム７、８は保持部１に連結される。アーム５、６とアーム７、８は、Ｖ字形に連結し、折り畳みも、及び完全展開も可能（図４，図６参照）である。これは、アーム５、６が頂上でフィルムヒンジ９を介して、アーム７、８が頂上でフィルムヒンジ１０を介して、それぞれ連結することによる。各アーム５、６、７、８と座板部２及び保持部１とは曲げ領域（図２参照）を介して連結する。これも、翼部３、４の上記運動に寄与する。
【００１７】
垂下部１１、１２は、座板部２から保持部１の方向に突出し、保持部１が座板部２側へ押されたとき（図６に押された状態を示す）、垂下部１１、１２は保持部１の側面を撫でるように保持部１の側面を囲む。保持部に設けられて垂下部１１、１２のラッチ孔１５、１６と係合するラッチ突起１３、１４（図３参照）は、保持部１と座板部２が押し付けられたとき（図６参照）、両者がラッチ係合することを保証する。ラッチ突起１３、１４の斜面１７、１８（図３参照）は、垂下部１１、１２の間に保持部１が完全に挿入されると、垂下部１１、１２が反発して保持部１をラッチ位置に固定するように、垂下部１１、１２がラッチ突起１３、１４を滑り、少し開くことを可能にする。ラッチ突起とラッチ孔は相互に交代可能であり、ラッチ突起を垂下部に設けるときは、ラッチ孔を保持部に設ける。
【００１８】
座板部２は、貫通孔１９を備え、その貫通孔において保持部１と座板部２が押し付け状態になるときに座板部２と対面する保持部１の面２０が突出する。貫通孔１９は、保持部１の関連部分を受け入れる。この面２０は、組立部材２９（図６参照）に対するストップとして作用する。この詳細については後記する。
【００１９】
図２は、保持部１と座板部２を備えたクランプ部材の側面図であり、二つの部品は、アーム５、６、７、８を備える翼部３、４を介して連結することを示す。アーム５、６、７、８と保持部１及び座板部２との連結は、曲げ領域２２、２３、２４、２５を介して形成される。
【００２０】
図３は、図２のＩＩＩ−ＩＩＩ線に沿うクランプ部材の断面図であり、保持部１の開口２６を示す。開口２６は、ネジを受入れることにより、プラスチック製の保持部１と座板部２からなるクランプ部材に、設計により、プラスチックナットの機能を付与する。開口２６は図１のものと同じである。
【００２１】
図４は、パネル２１の孔２７に挿入中のクランプ部材を示す。このため、クランプ部材は、翼部３、４が保持部１に矢印方向に押し付けられて孔２７を通過できるた状態となる。
【００２２】
クランプ部材を、座板部２がパネル２１に当接するまで挿入すると、翼部３、４が再び図１に示す正常な状態になる。
【００２３】
座板部２を押し下げたまま、保持部１を座板部２に押し付けて、保持部１を貫通孔１９（図１及び図３参照）に入れ、図１と同じ面２０を組立部材２９（図６参照）に当接させる。この保持部１と座板部２の押し付け中、翼部３、４は、横に折り畳まれ、相互に近接し、アーム５、７はパネル２１と当接する。このとき、ラッチ突起１３、１４はラッチ孔１５、１６（図１、図３参照）と係合し、その結果、クランプ部材はパネル２１に強固に固定される。
【００２４】
図６に示す状態でパネル２１に連結されるクランプ部材はプラスチックナットを形成し、その保持部１にはネジ頭部２８のネジが通る。ネジのねじ部は図３に示す保持部１の開口２６の中に突出し、保持部１を座板部２に対し強固に引き付ける。組立部材２９は、保持部１にねじ込まれたネジの頭部２８の直下にあり、クランプ部材により組立部材はこのようにパネル２１に固定される。
【００２５】
図７は、翼部のアームの特別な態様を示す。図は二つのアーム５、６を備える翼部３と、座板部２と、ラッチ孔１６を備える垂下部１２と、保持部１を示す（図２参照）。
【００２６】
アーム５は曲げ領域３０を経て座板部２に移り、曲げ領域３０の厚さは保持部１側に減少する。同様な設計がアーム６にもなされ、アーム６は曲げ領域３１を経て保持部１に移る。曲げ領域の厚さは再びアーム６から保持部１にかけて減少する。翼部３の頂上の領域（フィルムヒンジ）には二つの遷移領域、即ち、アーム５への遷移領域３２とアーム６への遷移領域３３が形成される。遷移領域３２は遷移領域３３よりも短いので、遷移領域３３にはフィルムヒンジ９の頂上からアーム６までのより長い曲げ領域が存在する。さらに、アーム６はアーム５よりも長い。その結果、クランプ部材がパネルと係合するとき（図６参照）、アーム５はパネル２を特別な圧力で押し付ける。
【００２７】
図６の要部を示す図８は、翼部３のアーム５、６の特別な設計を示す。アーム５、６は、ロック係合する突起３５、３６を備え、その突起３５、３６は、クランプ部材の係合時、即ち、アーム５、６の相互近接時に、相互に係合してアーム５、６の長手方向の相対運動を規制するように設計され配置されれている。この効果は、保持部１と座板部２の押し付け時に二つのアーム５、６が相互に接近して突起３５、３６がロック係合すると、アーム６に対して外方に作用する剪断力が集中しないことであり、それにより、フィルムヒンジ９への圧力が減少することである。もし、ロック係合する突起３４、３５が存在しないと、アーム６の長手方向に作用する圧力は、フィルムヒンジ９を外方に押圧し、フィルムヒンジ９の抵抗を越えるテンションがフィルムヒンジにかかるおそれがある。このように、フィルムヒンジ９は大きな負荷に耐えるように保護されている。
【図面の簡単な説明】
【００２８】
【図１】クランプ部材の斜視図、
【図２】クランプ部材の側面図、
【図３】図２のＩＩＩ−ＩＩＩ線に沿うクランプ部材の断面図、
【図４】パネルの孔に挿入中のクランプ部材を示す図、
【図５】パネル挿入後のクランプ部材を示す図、
【図６】クランプ部材の保持部と座板部のラッチ係合を示す図、
【図７】翼部の特別な形状を示す図、
【図８】アームをロックする突起を備えた翼部のアームを示す図。
【符号の説明】
【００２９】
１：保持部
２：座板部
３、４：翼部
５、６、７、８：アーム
９、１０：フィルムヒンジ
１１、１２：垂下部
１３、１４：ラッチ突起（ラッチ部）
１５、１６：ラッチ孔（ラッチ部）
１７、１８：斜面
１９：貫通孔
２０：面（ストップ）
２２、２３、２４、２５：曲げ領域
２６：開口
２７：孔
２８：ネジ頭部
２９：組立部材
３０、３１：曲げ領域
３２、３３：遷移領域
３４、３５：突起
【図１】
2005114036.tif 000003
【図２】
2005114036.tif 000004
【図３】
2005114036.tif 000005
【図４】
2005114036.tif 000006
【図５】
2005114036.tif 000007
【図６】
2005114036.tif 000008
【図７】
2005114036.tif 000009
【図８】
2005114036.tif 000010